(57)【要約】      （修正有）【課題】蛍光管の光度の低下を抑え、低温環境下において使用されても明るさを保つことができる照明装置を提供する。【解決手段】取付部３と、取付部３に設けられた半導体光源装置４と、取付部３に設けられたガス放電光源装置６と、取付部３に設けられ、半導体光源装置４及びガス放電光源装置６と電気的に接続し、半導体光源装置４及びガス放電光源装置６の動作を制御するコントローラとを備える。【選択図】図２
0003164381.tif 000002
【実用新案登録請求の範囲】
【請求項１】
取付部と、
前記取付部に設けられた半導体光源装置と、
前記取付部に設けられたガス放電光源装置と、
前記取付部に設けられ、前記半導体光源装置及び前記ガス放電光源装置と電気的に接続し、前記半導体光源装置及び前記ガス放電光源装置の動作を制御するコントローラとを備えることを特徴とする照明装置。
【請求項２】
前記取付部は、下方に開口したランプシェードと、前記ランプシェードの開口を覆う透明カバーとを備えることを特徴とする請求項１に記載の照明装置。
【請求項３】
前記取付部は、天井に取付け可能な取付ケースと、前記取付ケースに回動可能に取付けられ前記取付ケースの底部を開閉する透明カバーとを備えることを特徴とする請求項１に記載の照明装置。
【請求項４】
前記半導体光源装置は、前記コントローラと電気的に接続した回路板と、前記回路板に取付けられた複数の発光ダイオードとを備えることを特徴とする請求項１に記載の照明装置。
【請求項５】
前記ガス放電光源装置は、蛍光管と、前記コントローラ及び前記蛍光管を電気的に接続するコネクタユニットとを備えることを特徴とする請求項１に記載の照明装置。
【請求項６】
前記蛍光管は、熱陰極管であることを特徴とする請求項５に記載の照明装置。
【請求項７】
前記蛍光管は、冷陰極管であることを特徴とする請求項５に記載の照明装置。
【請求項８】
前記半導体光源装置は、前記コントローラに電気的に接続した回路板と、前記回路板上に設けられた複数の発光ダイオードとを備えることを特徴とする請求項５に記載の照明装置。
【請求項９】
前記発光ダイオードは、前記回路板上に、前記蛍光管の延伸方向と平行の方向に配列されることを特徴とする請求項８に記載の照明装置。
【考案の詳細な説明】
【技術分野】
【０００１】
本考案は照明装置に関し、特に、異なる種類の光源装置を設けた照明装置に関する。
【背景技術】
【０００２】
従来の照明装置は、光源装置として蛍光灯が用いられている。蛍光灯は、熱陰極管を用いるものと、冷陰極管を用いるものとがあり、広い領域の照明に適する。蛍光灯は、低温環境下において使用されると光度が低下するので、最適な明るさを保つためには、複数の蛍光管を備えた照明装置にする必要がある。
【０００３】
一方、発光ダイオードは、指向性を有する光を放射する光源装置として用いられている。また、発光ダイオードは、点灯時の発熱量が大きいことが知られている。
【考案の概要】
【考案が解決しようとする課題】
【０００４】
本考案は、蛍光管の光度の低下を抑えながら、低温環境下において使用されても明るさを保つことができる照明装置を提供することを目的とする。
【課題を解決するための手段】
【０００５】
上記目的を達成するために、本考案の照明装置は、取付部と、取付部に設けられた半導体光源装置と、取付部に設けられたガス放電光源装置と、取付部に設けられ、半導体光源装置及びガス放電光源装置と電気的に接続し、半導体光源装置及びガス放電光源装置の動作を制御するコントローラとを備える。
【０００６】
本考案の照明装置において、前記取付部は、下方に開口したランプシェードと、前記ランプシェードの開口を覆う透明カバーとを備える。
【０００７】
本考案の照明装置において、前記取付部は、天井に取付け可能な取付ケースと、前記取付ケースに回動可能に取付けられ前記取付ケースの底部を開閉する透明カバーとを備える。
【０００８】
本考案の照明装置において、前記半導体光源装置は、前記コントローラと電気的に接続した回路板と、前記回路板に取付けられた複数の発光ダイオードとを備える。
【０００９】
本考案の照明装置において、前記ガス放電光源装置は、蛍光管と、前記コントローラ及び前記蛍光管を電気的に接続するコネクタユニットとを備える。
【００１０】
本考案の照明装置において、前記蛍光管は、熱陰極管である。
【００１１】
本考案の照明装置において、前記蛍光管は、冷陰極管である。
【００１２】
本考案の照明装置において、前記半導体光源装置は、前記コントローラに電気的に接続した回路板と、前記回路板上に設けられた複数の発光ダイオードとを備える。
【００１３】
本考案の照明装置において、前記発光ダイオードは、前記回路板上に、前記蛍光管の延伸方向と平行の方向に配列される。
【考案の効果】
【００１４】
本考案の照明装置によれば、半導体光源装置の点灯時に発生した熱により、取付部内の温度が上昇し、ガス放電光源装置の光度の低下を抑えることができる。
【図面の簡単な説明】
【００１５】
【図１】本考案の第１の実施形態である半導体光源装置を取り付けた照明装置の斜視図である。
【図２】図１の照明装置における底面図である。
【図３】図１の照明装置の長手方向に対する垂直方向の断面図である。
【図４】本考案の第２の実施形態である半導体光源装置が取り付けられた照明装置の斜視図である。
【図５】図４の照明装置における透明カバーが取付ケースの底部に対して開いた状態を示す斜視図である。
【考案を実施するための形態】
【００１６】
以下、本考案の実施形態を図面に基づいて説明する。なお、同一構成及び機能を有する構成要素については、同一番号を付してその説明を省略する。
【００１７】
図１から図３に示されるように、第１の実施形態の照明装置は、取付部３と、取付部３に設けられた半導体光源装置４と、取付部３に設けられたガス放電光源装置６と、取付部３に設けられたコントローラ４２とを備える。コントローラ４２は半導体光源装置４及びガス放電光源装置６と電気的に接続し、半導体光源装置４及びガス放電光源装置６の動作を制御する。半導体光源装置４は、コントローラ４２と電気的に接続した回路板４１と、回路板４１に取付けられた複数の発光ダイオード５とを備える。ガス放電光源装置６は、蛍光管６１と、前記コントローラ４２及び蛍光管６１を電気的に接続するコネクタユニット６３とを備える。本実施形態においては、蛍光管６１の両端部が、コネクタユニット６３を介してコントローラ４２に接続している。蛍光管６１は、熱陰極管または冷陰極管である。
【００１８】
照明装置の取付部３は、図１に示されるように、支持具１００の先端部に取り付けられ、街灯として使用されることが好ましい。本実施形態において、取付部３は、下方に開口したランプシェード３１と、ランプシェード３１の開口を覆う透明カバー３２とを備える。回路板４１は取付部３に取付られている。コントローラ４２は回路板４１の上面に搭載され、発光ダイオード５は、下方へ光を放つように回路板４１の下面に設けられている。また、本実施形態においては、２本のガス放電光源装置６が回路板４１の下面に設けられている。発光ダイオード５は、回路板４１に、ガス放電光源装置６の蛍光管６１の延伸方向と並行に配列されていることが好ましい。
【００１９】
照明装置が低温環境下において使用されるとき、コントローラ４２は蛍光管６１が点灯する前に発光ダイオード５を所定時間点灯するように制御することができる。発光ダイオードの点灯により発生した熱で取付部３内の温度が上昇し、蛍光管６１が最適な明るさで点灯することができる。
【００２０】
また、前述のように、蛍光管６１は広い領域を照明するのに適しているのに対し、発光ダイオード５は指向性を有する光を放射する光源である。よって、発光ダイオード５と蛍光管６１とが同時に点灯することによって、蛍光管６１で広い領域を照明し、発光ダイオード５でその下の領域の明るさを更に明るくすることができる。
【００２１】
それゆえ、本考案の照明装置によれば、広い領域を照明することができ、且つ、その照明領域の中心付近の明るさを更に明るくすることができる。
【００２２】
本実施形態において、発光ダイオード５は蛍光管６１の間に一列に配列されているが、発光ダイオード５の列の数と蛍光管６１の数はデザインに応じて変更されてもよく、例えば、発光ダイオード５を２列にし、３本目の蛍光管６１をその２列の発光ダイオードの間に配置してもよい。
【００２３】
第１の実施形態における照明装置は、例えば街灯として使用するのに適しているが、他の実施形態として、この照明装置の構造に若干の修正を加えて卓上ライトやフロアーライトとして使用することも可能である。
【００２４】
図４及び５に示すように、第２の実施形態の照明装置の構成は第１の実施形態とほぼ同様であるが、第２の実施形態では、取付部３が、天井に取付け可能な四角形の取付ケース３３と、一側面が取付ケース３３に回動可能に取付けられ、取付ケース３３の底部を開閉する透明カバー３４とを備えていることが、第１の実施形態と異なる。
【００２５】
本実施形態において、取付ケース３３は図示しない天井の枠組みに連結されている。透明カバー３４は回動可能に取付ケース３３の底部に連結しており、取付ケース３３の底部を開閉できるようになっている。
【００２６】
本実施形態において、ガス放電光源装置６は、それぞれ互いに等間隔に、同一方向に沿って配置された３対の蛍光管６１と、取付部３に設けられ、コントローラ４２及び蛍光管６１の両端部を電気的に接続するコネクタユニット６３とを備える。半導体光源装置４は、取付部３に設けられた複数の回路板４１を備え、これらの回路板４１は互いに間隔を置いて配置され、コントローラ４３と電気的に接続している。各半導体光源装置４は更に、回路板４１の下面に列状に配列した複数の発光ダイオード５を備え、それらの発光ダイオード５は対応する回路板４１と電気的に接続されている、それぞれの列の発光ダイオード５は対応する各対の蛍光管６１の間に配置されている。
【００２７】
本実施形態においても、低温環境下において使用されるとき、コントローラ４２は蛍光管６１が点灯するまでの時間内に発光ダイオード５を点灯させるように制御するので、発光ダイオードの点灯により発生した熱で取付ケース３３内の温度が上昇し、蛍光管６１が最適な明るさで点灯することができる。また、異なる種類の光源が有するそれぞれの特性を活用して広い領域を照明することができ、且つ、その照明領域の中心付近を更に明るくすることができる。
【００２８】
以上のように本考案の好適な実施形態について説明したが、本考案は上述の実施形態に限られるものではなく、本考案の要旨を逸脱しない範囲の配列や形態も含まれる。
【符号の説明】
【００２９】
３    取付部
３１    ランプシェード
３２    透明カバー
３３    取付ケース
３４    透明カバー
４    半導体光源装置
４１    回路板
４２    コントローラ
５    発光ダイオード
６    ガス放電光源装置
６１    蛍光管
６３    コネクタユニット
【図１】
0003164381.tif 000003
【図２】
0003164381.tif 000004
【図３】
0003164381.tif 000005
【図４】
0003164381.tif 000006
【図５】
0003164381.tif 000007